(57)【要約】【課題】踵部分を開放した履物において、その足載置部に、使用者の足底アーチの形状に適合したアーチサポートを容易に装着できるようにすること。【解決手段】踵部分を開放した履物１の足載置部２に、人間の足底アーチに対応する形状のアーチサポート４を着脱可能に装着するアーチサポート収納部３を設けた。アーチサポート４は、芯材４ａと、芯材４ａの表面に貼着した表層材４ｂとから構成し、表層材４ｂは芯材４ａよりも軟質にする。【選択図】図１
0003108629.tif 000002
【実用新案登録請求の範囲】
【請求項１】
踵部分を開放させた履物において、足載置部に、人間の足底アーチに対応する形状のアーチサポートを着脱可能に装着するアーチサポート収納部を設けた履物。
【請求項２】
アーチサポートが、芯材と、芯材の表面に貼着した表層材とからなり、表層材が芯材よりも軟質である請求項１に記載の履物。
【請求項３】
芯材が、可撓性板材を上方に折り曲げて内部に空洞ができるように形成されたものであり、可撓性板材の折り曲げ先端の固定位置を変更することにより高さが調整可能である請求項２に記載の履物。
【考案の詳細な説明】
【技術分野】
【０００１】
本考案は、おもに屋内履きとして使用されるサンダル、スリッパ等の踵部分を開放させた履物に関する。
【背景技術】
【０００２】
二足直立歩行を行う人間の足底には、効率的に地面を蹴って前に進むために「足底アーチ」と呼ばれる構造が形成されている。この足底アーチには、図４に示すように、縦アーチ（内側と外側）と横アーチがあり、足底の踵、小指、親指の３点を結ぶ３本の線が立体的な弧を描く曲面となっている。
【０００３】
そして、この３点を結ぶ足底アーチがスプリングの役割をして、歩行時の衝撃をやわらげ、また、人間が行動を起こそうとするときに体重の数倍かかる動的荷重を分散させている。さらに、足底アーチが正常に発達した状態では、歩くたびに足底アーチの伸縮によって血液（静脈血）を持ち上げるという、第２の心臓と呼ばれるポンプの役割も果たしている。
【０００４】
このように、正常な足底アーチの保持は人間の健康にとって非常に重要であり、この足底アーチを保持するために、従来、例えば特許文献１に記載されているように、足底アーチに対応する凸部（アーチサポート）を有する足底板を靴底や靴の中敷として使用することが行われている。
【０００５】
この足底板の使用は、正常な足底アーチの保持・形成に有効な手段であるが、例えば、サンダルやスリッパのように、踵部分の開放した履物においては、足底板を安定して固定できないので、足底板を適用することはできない。
【０００６】
一方、いわゆる健康サンダルと呼ばれる履物のように、足載置部にアーチサポートが一体的に設けられているものもあるが、アーチサポートが一体式であるため、使用者の足底アーチ形状に適合しない場合が殆どであり、アーチサポートが本来の役割を果たさなくなるだけでなく、アーチサポートが足底アーチ以外の部分に当たって痛みや疲労が生じるという問題があった。
【特許文献１】登録実用新案第３０５５３６８号公報
【考案の開示】
【考案が解決しようとする課題】
【０００７】
本考案が解決しようとする課題は、踵部分の開放した履物において、その足載置部に、使用者の足底アーチの形状に適合したアーチサポートを容易に装着できるようにすることにある。
【課題を解決するための手段】
【０００８】
上記課題を解決するため、本考案の履物は、足載置部に、人間の足底アーチに対応する形状のアーチサポートを着脱可能に装着するアーチサポート収納部を設けたことを特徴とする。
【０００９】
アーチサポートは、芯材と、芯材の表面に貼着した表層材とから構成することができ、表層材は芯材よりも軟質にする。
【００１０】
また、芯材は、可撓性板材を上方に折り曲げて内部に空洞ができるように形成されたものとすることができ、この芯材では、可撓性板材の折り曲げ先端の固定位置を変更することにより高さを調整する。
【考案の効果】
【００１１】
本考案の履物は、アーチサポートを着脱可能に装着するアーチサポート収納部を備えているので、それぞれの使用者の足底アーチに適合するアーチサポートを簡単に装着することができる。
【考案を実施するための最良の形態】
【００１２】
以下、図面に示す実施例に基づき、本考案の実施の形態を説明する。
【００１３】
図１は、本考案の実施例を示す分解斜視図である。この実施例は、本考案を屋内用のスリッパに適用した例である。
【００１４】
図１において、スリッパ１の足載置部２には、使用者の足底アーチに対応する位置に、アーチサポート収納部３が設けられ、このアーチサポート収納部３にアーチサポート４が着脱可能に装着される。
【００１５】
アーチサポート４は、芯材４ａと、芯材４ａの表面に貼着した表層材４ｂとからなり、その全体形状は、予め使用者の足底アーチ形状を測定し、その足底アーチ形状に適合する形状とされる。芯材４ａは、硬質ゴム、コルク材等の硬質材で形成され、表層材４ｂは、軟質ゴム等の芯材４ａより軟質の素材で形成される。
【００１６】
図２は、スリッパ１の使用状態を示す斜視図である。使用時には、その使用者の足底アーチ形状に適合するアーチサポート４をサーチサポート収納部３に装着し、アーチサポート４を使用者の足底アーチに対応する位置に接着材等で固定し、その後、サーチサポート収納部３の開口部を接着、縫合等の手段によって閉じる。開口部の開閉には、面ファスナーを使用しても良い。
【００１７】
これによって、使用者の足底アーチ形状に適合するアーチサポート４を備えたスリッパ１が得られる。このスリッパ１を使用することで、健全な足底アーチが維持、形成されるとともに、歩くたびに正確に足底アーチが押圧されて血液を持ち上げるというポンプ作用も発揮される。本実施例では、アーチサポート４を、硬質の芯材４ａと、軟質の表層材４ｂとから構成しているので、硬質材と軟質材の複合作用によりポンプ作用がより有効に発揮される。
【００１８】
図３は、アーチサポートの他の例を示し、（ａ）は斜視図、（ｂ），（ｃ）が側面図である。同図に示すアーチサポートは、プラスチック板、薄鋼板等の可撓性板材４０ａを折り曲げ、内部に空洞４０ｂができるように形成される。そして、可撓性板材４０ａの折り曲げ先端を第１のストッパー４０ｃ又は第１のストッパー４０ｄに係止して接着材等によって固定する。
【００１９】
このように、可撓性板材４０ａの折り曲げ先端の固定位置を変更することにより、図３（ｂ），（ｃ）に示すように、アーチサポート４０の高さが調整可能なる。このアーチサポート４０の高さは、使用者の足底アーチの高さに合うように調整される。
【００２０】
なお、図面では省略しているが、アーチサポート４０の芯材である可撓性板材４０ａの表面には、軟質ゴム等からなる表層材が貼着される。また、空洞４０ｂ内に軟質ゴム等のクッション材を装入することもできる。
【産業上の利用可能性】
【００２１】
本考案は、屋内用のスリッパやサンダルに好適に利用可能である。また、屋外用のサンダルにも利用可能である。
【図面の簡単な説明】
【００２２】
【図１】本考案の実施例を示す分解斜視図である。
【図２】図１に示すスリッパの使用状態を示す斜視図である。
【図３】アーチサポートの他の例を示し、（ａ）は斜視図、（ｂ），（ｃ）が側面図である
【図４】人間の足底アーチを示す説明図である。
【符号の説明】
【００２３】
１  スリッパ
２  足載置部
３  アーチサポート収納部
４  アーチサポート
４ａ  芯材
４ｂ  表層材
４０  アーチサポート
４０ａ  可撓性板材
４０ｂ  空洞
４０ｃ  第１のストッパー
４０ｄ  第１のストッパー
【図１】
0003108629.tif 000003
【図２】
0003108629.tif 000004
【図３】
0003108629.tif 000005
【図４】
0003108629.tif 000006